(57)【要約】【課題】アシストタイプのコンソールボックスの組み立てに必要な工程数の削減を図ること。【解決手段】収容部１０ａを有するボックス本体１０と、ヒンジピン３０を介してボックス本体１０の収容部１０ａを開閉可能にヒンジ結合されたリッド２０とを備えており、リッド２０は、トーションばね４０を介してボックス本体１０の収容部１０ａを開方向に付勢されているコンソールボックス１の組み立て方法は、一端４２をリッド２０に掛け留めた状態でトーションばね４０をリッド２０に組み付ける第１の工程と、トーションばね４０を組み付けたリッド２０をヒンジピン３０によってヒンジ結合させる第２の工程とを備えている。第２の工程において、ヒンジピン３０によってリッド２０をヒンジ結合させると、リッド２０が開方向に付勢されるようにトーションばね４０の他端４４を撓める。【選択図】図２
2019010922.tif 000002
【特許請求の範囲】
【請求項１】
収容部を有するボックス本体と、ヒンジピンを介してボックス本体の収容部を開閉可能にヒンジ結合されたリッドと、を備えており、リッドは、トーションばねを介してボックス本体の収容部を開方向に付勢されているコンソールボックスの組み立て方法であって、
一端をリッドに掛け留めた状態でトーションばねをリッドに組み付ける第１の工程と、
トーションばねを組み付けたリッドをヒンジピンによってヒンジ結合させる第２の工程と、を備えており、
第２の工程において、ヒンジピンによってリッドをヒンジ結合させると、リッドが開方向に付勢されるようにトーションばねの他端を撓めるコンソールボックスの組み立て方法。
【請求項２】
収容部を有するボックス本体と、ヒンジピンを介してボックス本体の収容部を開閉可能にヒンジ結合されたリッドと、を備えており、リッドは、トーションばねを介してボックス本体の収容部を開方向に付勢されているコンソールボックスであって、
ヒンジピンは、リッドに対してヒンジ結合可能な回転許容部と、リッドを開方向に付勢させるためにトーションばねの一方の端を撓めた状態でボックス本体に嵌め合い可能な回転非許容部と、から構成されており、
リッドにおけるヒンジピンの回転許容部が挿し込まれる挿入孔と、ヒンジピンの回転非許容部を挿し込むことでトーションばねの一方の端を撓める長孔と、ボックス本体におけるヒンジピンの回転非許容部が挿し込まれる挿入孔とは、同一軸線上に形成されており、
両挿入孔に対するヒンジピンの挿し込みが完了すると、トーションばねの一方の端がヒンジピンの回転非許容部を介してボックス本体の挿入孔に嵌め合い状態となるコンソールボックス。
【請求項３】
請求項２に記載のコンソールボックスであって、
ヒンジピンにおいて、回転非許容部の重心から外郭への距離は、回転許容部の重心から外郭への距離より長く設定されているコンソールボックス。
【発明の詳細な説明】
【技術分野】
【０００１】
本発明は、コンソールボックスの組み立て方法およびコンソールボックスに関し、詳しくは、収容部を有するボックス本体と、ヒンジピンを介してボックス本体の収容部を開閉可能にヒンジ結合されたリッドと、を備えており、リッドは、トーションばねを介してボックス本体の収容部を開方向に付勢されているコンソールボックスの組み立て方法およびコンソールボックスに関する。
【背景技術】
【０００２】
従来、自動車における運転席と助手席との間の床フロアには、コンソールボックスが設けられている。このコンソールボックスは、床フロアに組み付けられ物品を収容可能な収容部を有するボックス本体と、ヒンジピンを介してボックス本体の収容部を開閉可能にヒンジ結合されたリッドとから構成されている。ここで、下記特許文献１には、例えば、図５に示すような、アシストタイプのコンソールボックス２０１が開示されている。このようなアシストタイプのコンソールボックス２０１は、リッド２２０がボックス本体２１０の収容部２１０ａに対して開方向にトーションばね２４０を介して付勢されているため、ロック解除したリッド２２０を軽い操作荷重で開けることができるように構成されている。
【０００３】
このアシストタイプのコンソールボックス２０１を組み立てる手順を説明すると、この組み立ては、以下の３工程（第１Ｂの工程〜第３Ｂの工程）を経て行われている。まず、図６に示すように、トーションばね２４０の一端２４２をボックス本体２１０にビスＢ１留めされるボックスブラケット２１２に掛け留める第１Ｂの工程を行う。次に、一端２４２をボックスブラケット２１２に掛け留めたトーションばね２４０の他端２４４をリッド２２０にビスＢ２留めされるリッドブラケット２２２に掛け留める第２Ｂの工程を行う。最後に、これらトーションばね２４０の両端２４２、２４４を掛け留めたボックスブラケット２１２とリッドブラケット２２２とトーションばね２４０とにシャフト２３０を挿し込んでボックス本体２１０に対してリッド２２０をヒンジ結合させる第３Ｂの工程を行う。このように３工程（第１Ｂの工程〜第３Ｂの工程）を経て、ボックス本体２１０とリッド２２０とからアシストタイプのコンソールボックス２０１を組み立てることができる（図５参照）。
【先行技術文献】
【特許文献】
【０００４】
【特許文献１】特開２０００−２７２４２６号公報
【発明の概要】
【発明が解決しようとする課題】
【０００５】
しかしながら、上述したアシストタイプのコンソールボックス２０１の組み立てでは、必要な工程数が３工程であった。そのため、多くの工程数が必要であり削減することが求められていた。
【０００６】
本発明は、このような課題を解決しようとするもので、その目的は、アシストタイプのコンソールボックスの組み立てに必要な工程数の削減を図ることである。
【課題を解決するための手段】
【０００７】
本発明は、上記の目的を達成するためのものであって、以下のように構成されている。
請求項１に記載の発明は、収容部を有するボックス本体と、ヒンジピンを介してボックス本体の収容部を開閉可能にヒンジ結合されたリッドとを備えており、リッドは、トーションばねを介してボックス本体の収容部を開方向に付勢されているコンソールボックスの組み立て方法である。この組み立て方法は、一端をリッドに掛け留めた状態でトーションばねをリッドに組み付ける第１の工程と、トーションばねを組み付けたリッドをヒンジピンによってヒンジ結合させる第２の工程とを備えている。第２の工程において、ヒンジピンによってリッドをヒンジ結合させると、リッドが開方向に付勢されるようにトーションばねの他端を撓める。
【０００８】
請求項１の発明によれば、２工程（第１の工程〜第２の工程）を経て、ボックス本体とリッドとからアシストタイプのコンソールボックスを組み立てることができる。そのため、従来技術と比較すると、アシストタイプのコンソールボックスの組み立てに必要な工程数を３工程から２工程に削減できる。
【０００９】
また、請求項２に記載の発明は、収容部を有するボックス本体と、ヒンジピンを介してボックス本体の収容部を開閉可能にヒンジ結合されたリッドと、を備えており、リッドは、トーションばねを介してボックス本体の収容部を開方向に付勢されているコンソールボックスである。ヒンジピンは、リッドに対してヒンジ結合可能な回転許容部と、リッドを開方向に付勢させるためにトーションばねの一方の端を撓めた状態でボックス本体に嵌め合い可能な回転非許容部とから構成されている。リッドにおけるヒンジピンの回転許容部が挿し込まれる挿入孔と、ヒンジピンの回転非許容部を挿し込むことでトーションばねの一方の端を撓める長孔と、ボックス本体におけるヒンジピンの回転非許容部が挿し込まれる挿入孔とは、同一軸線上に形成されている。そして、両挿入孔に対するヒンジピンの挿し込みが完了すると、トーションばねの一方の端がヒンジピンの回転非許容部を介してボックス本体の挿入孔に嵌め合い状態となる。
【００１０】
請求項２の発明によれば、請求項１と同様の作用効果を得ることができる。
【００１１】
また、請求項３に記載の発明は、請求項２に記載のコンソールボックスであって、ヒンジピンにおいて、回転非許容部の重心から外郭への距離は、回転許容部の重心から外郭への距離より長く設定されている。
【００１２】
請求項３の発明によれば、ヒンジピンをボックス本体の挿入孔、トーションばねの長孔、リッドの挿入孔の順に挿し込むと、リッドが開方向に付勢されるようにトーションばねの他端を撓めることができる。
【図面の簡単な説明】
【００１３】
【図１】実施例に係るアシストタイプのコンソールボックスの全体図である。
【図２】図１の分解図である。
【図３】図１のコンソールボックスの組み立ての工程を説明する図である。
【図４】図３の次工程を説明する図である。
【図５】従来技術に係るアシストタイプのコンソールボックスの全体図である。
【図６】図５の分解図である。
【発明を実施するための形態】
【００１４】
以下、本発明を実施するための形態を、図１〜４を用いて説明する。なお、以下の説明にあたって、上、下、前、後、左、右とは、上述した図に記載した、上、下、前、後、左、右の方向、すなわち、自動車（図示しない）を基準にしたときの上、下、前、後、左、右の方向を示している。
【００１５】
まず、図１〜２を参照して、本発明の実施例に係るコンソールボックス１を説明する。このコンソールボックス１は、アシストタイプのものであり、床フロア（図示しない）に組み付けられ物品（図示しない）を収容可能な矩形状の収容部１０ａを有するボックス本体１０と、ボックス本体１０の収容部１０ａを開閉可能にヒンジ結合されたリッド２０とから構成されている。
【００１６】
このボックス本体１０は、上述したように物品を収容可能なボックス状の部材から構成されている。この収容部１０ａの開口１０ｂの後縁には、左右に対を成すヒンジ部１２が形成されている。このヒンジ部１２は、後に向かって張り出す架体１４と、この架体１４の先端側に形成され後述するヒンジピン３０の長孔部３４を嵌め合い可能な挿入孔１６ａを有する軸受体１６とから構成されている。この長孔部３４の記載が、特許請求の範囲に記載の「回転非許容部」に相当する。
【００１７】
一方、このリッド２０は、上述したようにボックス本体１０の収容部１０ａを開閉可能なパネル状の部材から構成されている。このリッド２０の後縁には、左右に対を成すヒンジ部２２が形成されている。このヒンジ部２２は、円弧面２４ａを有するように後に向かって円弧状に張り出す円弧体２４と、この円弧体２４の内側に形成され後述するヒンジピン３０の円柱部３２を挿し込み可能な挿入孔２６ａを有する軸受体２６とから構成されている。この円柱部３２の記載が、特許請求の範囲に記載の「回転許容部」に相当する。
【００１８】
なお、このボックス本体１０の挿入孔１６ａと、リッド２０の挿入孔２６ａと、後述するトーションばね４０の他端４４の長孔４４ａとは、同一直線上に位置するように形成されている。また、このヒンジピン３０は、長孔部３４の重心から外郭への距離は、円柱部３２の重心から外郭への距離より長く設定されている。そのため、このヒンジピン３０をボックス本体１０の挿入孔１６ａ、トーションばね４０の長孔４４ａ、リッド２０の挿入孔２６ａの順に挿し込むと、リッド２０が開方向に付勢されるようにトーションばね４０の他端４４を撓めることができる。
【００１９】
次に、図１〜４を参照して、上述したボックス本体１０とリッド２０とからアシストタイプのコンソールボックス１を組み立てる手順を説明する。まず、図２に示す状態から、左右のヒンジ部２２において、リッド２０の円弧体２４の円弧面２４ａにトーションばね４０の外周側を組み付ける第１Ａの工程を行う（図３参照）。このとき、トーションばね４０は、その一端４２が円弧面２４ａに形成されている係止溝２４ｂに掛け留めされた状態で組み付けられている。
【００２０】
なお、このトーションばね４０の他端４４は、図２〜３から明らかなように、後述するヒンジピン３０の長孔部３４を嵌め合い可能な長孔状に折り曲げられている。すなわち、このトーションばね４０の他端４４には、後述するヒンジピン３０の長孔部３４を嵌め合い可能な長孔４４ａが折り曲げ形成されている。
【００２１】
次に、図３に示す状態から、ボックス本体１０にリッド２０を組み付け（図４参照）、さらに、左右のヒンジ部１２、２２において、ヒンジピン３０を先端からボックス本体１０の挿入孔１６ａ、トーションばね４０の長孔４４ａ、リッド２０の挿入孔２６ａの順に挿し込む第２Ａの工程を行う（図１参照）。このとき、ヒンジピン３０は、リッド２０が開方向に付勢されるようにトーションばね４０の他端４４を撓めるように挿し込まれている。これら「第１Ａの工程」と、「第２Ａの工程」とが、特許請求の範囲に記載の「第１の工程」と、「第２の工程」とに相当する。
【００２２】
そのため、常時、リッド２０はボックス本体１０の収容部１０ａに対して開方向に付勢されている。したがって、従来技術と同様に、ロック装置（図示しない）をロック解除したリッド２０を軽い操作荷重で開けることができる。このように２工程（第１Ａの工程〜第２Ａの工程）を経て、ボックス本体１０とリッド２０とからアシストタイプのコンソールボックス１を組み立てることができる（図１参照）。
【００２３】
本発明の実施例に係るアシストタイプのコンソールボックス１は、上述した方法によって組み立てられている。この組み立て方法は、左右のヒンジ部２２において、リッド２０の円弧体２４の円弧面２４ａにトーションばね４０の外周側を組み付ける第１Ａの工程と、ボックス本体１０にリッド２０を組み付け、さらに、左右のヒンジ部１２、２２において、ヒンジピン３０を先端からボックス本体１０の挿入孔１６ａ、トーションばね４０の長孔４４ａ、リッド２０の挿入孔２６ａの順に挿し込む第２Ａの工程とを備えている。すなわち、２工程（第１Ａの工程〜第２Ａの工程）を経て、ボックス本体１０とリッド２０とからアシストタイプのコンソールボックス１が組み立てられている。そのため、従来技術と比較すると、アシストタイプのコンソールボックス１の組み立てに必要な工程数を３工程から２工程に削減できる。
【００２４】
上述した内容は、あくまでも本発明の一実施の形態に関するものであって、本発明が上記内容に限定されることを意味するものではない。
【００２５】
実施例では、ヒンジピン３０の軸方向が左右方向である形態を説明した。しかし、これに限定されるものでなく、ヒンジピン３０の軸方向が前後方向であっても構わない。
【００２６】
また、実施例では、ヒンジ部１２、２２が２個の形態（左右に対を成す形態）を説明した。しかし、これに限定されるものでなく、ヒンジ部１２、２２が何個の形態（１個の形態、３個の形態等）でも構わない。
【符号の説明】
【００２７】
１        コンソールボックス
１０      ボックス本体
１２      ヒンジ部
１０ａ    収容部
２０      リッド
２２      ヒンジ部
３０      ヒンジピン
３２      円柱部（回転許容部）
３４      長孔部（回転非許容部）
４０      トーションばね
４２      一端
４４      他端
【図１】
2019010922.tif 000003
【図２】
2019010922.tif 000004
【図３】
2019010922.tif 000005
【図４】
2019010922.tif 000006
【図５】
2019010922.tif 000007
【図６】
2019010922.tif 000008